(57)【要約】  本発明は、第１の光源光１１１を供給するように構成されている１つ以上の第１の光源１１０の第１のサブセット１００と、第１の光源光１１１とは異なるスペクトル分布を有する第２の光源光２１１を供給するように構成されている１つ以上の第２の光源２１０の第２のサブセット２００とを有する、複数の異なる光源１０を備える照明デバイス１であって、１つ以上の第１の光源１１０が、光源オフ状態の色外観を有し、１つ以上の第２の光源２１０が、１つ以上の光学フィルタ３０５を含み、１つ以上の光学フィルタ３０５が、第２の光源光２１１の１０％未満を変換するように選択され、各光学フィルタ３０５が、対応の第２の光源２１０に関連付けられており、１つ以上の光学フィルタ３０５が、１つ以上の第１の光源１１０のオフ状態の色外観と同じ色外観を有する、照明デバイス１を提供する。
2019533880.tif 000002
【特許請求の範囲】
【請求項１】
第１の光源光を供給するように構成されている１つ以上の第１の光源の第１のサブセットと、前記第１の光源光とは異なるスペクトル分布を有する第２の光源光を供給するように構成されている１つ以上の第２の光源の第２のサブセットとを有する、複数の異なる光源を備える照明デバイスであって、前記１つ以上の第１の光源が、光源オフ状態の色外観を有し、前記１つ以上の第２の光源が、１つ以上の光学フィルタを含み、前記１つ以上の光学フィルタが、前記第２の光源光の２０％未満を変換するように選択され、各光学フィルタが、対応の第２の光源に関連付けられており、前記１つ以上の光学フィルタが、前記１つ以上の第１の光源の前記オフ状態の色外観と同じ色外観を有する、照明デバイス。
【請求項２】
前記１つ以上の光学フィルタが、前記１つ以上の第１の光源の前記オフ状態の色外観と同じ色相を有し、色相に加えて、明度及び彩度のうちの１つ以上が同じである、請求項１に記載の照明デバイス。
【請求項３】
前記第１の光源の前記オフ状態の色外観、及び前記第２の光源のオフ状態の色外観が、それぞれ、第１の色相値Ｈ１及び第２の色相値Ｈ２、第１の明度値Ｌ１及び第２の明度値Ｌ２、並びに第１の彩度値Ｓ１及び第２の彩度値Ｓ２を有し、
｜Ｈ１−Ｈ２｜＝０であるか、あるいは、｜Ｈ１−Ｈ２｜≠０であって、より大きい色相がＨ１として定義される場合、｜Ｈ１−Ｈ２｜≦０．２＊Ｈｍａｘ又は｜Ｈ１−Ｈ２−３６０｜≦０．２＊Ｈｍａｘであり、
｜Ｌ１−Ｌ２｜≦０．２＊Ｌｍａｘであり、
｜Ｓ１−Ｓ２｜≦０．２＊Ｓｍａｘであり、
Ｈｍａｘは、最大色相値であり、Ｈは、０〜３６０の範囲のＨを有するＨＳＬ表現に基づいて定義され、Ｌｍａｘは最大明度値であり、Ｓｍａｘは最大彩度値である、請求項１乃至２のいずれか一項に記載の照明デバイス。
【請求項４】
前記１つ以上の光学フィルタが、前記第２の光源光の５％未満を変換するように選択され、前記１つ以上の光学フィルタが、前記第２の光源光２０％未満を吸収するように選択されている、請求項１乃至３のいずれか一項に記載の照明デバイス。
【請求項５】
前記１つ以上の第１の光源が、第１のピーク波長λ１を有する前記第１の光源光を供給するように構成され、前記１つ以上の第２の光源が、第２のピーク波長λ２を有する前記第２の光源光を供給するように構成されており、λ１≠λ２である、請求項１乃至４のいずれか一項に記載の照明デバイス。
【請求項６】
λ２＞λ１である、請求項５に記載の照明デバイス。
【請求項７】
前記１つ以上の光学フィルタが、前記第２の光源光の１つ以上の放出波長におけるよりも、前記第１の光源光の１つ以上の放出波長において、大きい吸収性を有するように選択されている、請求項１乃至６のいずれか一項に記載の照明デバイス。
【請求項８】
前記１つ以上の光学フィルタが、前記第２のピーク波長λ２におけるよりも、前記第１のピーク波長λ１において、大きい吸収性を有するように選択されている、請求項６乃至７のいずれか一項に記載の照明デバイス。
【請求項９】
前記１つ以上の第１の光源が、１つ以上の固体光源を含み、前記１つ以上の第２の光源が、１つ以上の固体光源を含み、前記１つ以上の光学フィルタが、１つ以上のコーティングを含む、請求項１乃至８のいずれか一項に記載の照明デバイス。
【請求項１０】
前記１つ以上の第１の光源が、蛍光体を有する１つ以上の蛍光体変換固体光源を含み、前記１つ以上の第２の光源が、１つ以上の単色固体光源を含み、前記１つ以上の蛍光体変換固体光源の前記蛍光体が、前記１つ以上の第１の光源の、前記光源オフ状態の色外観を決定する、請求項１乃至９のいずれか一項に記載の照明デバイス。
【請求項１１】
前記１つ以上の光学フィルタが、前記蛍光体を含む、請求項１０に記載の照明デバイス。
【請求項１２】
前記１つ以上の第１の光源が、青色の第１の光源光、及び緑色の蛍光体光を供給するように構成され、前記１つ以上の第２の光源が、赤色の第２の光源光を供給するように構成されており、前記１つ以上の光学フィルタが、前記蛍光体を含む、請求項１０乃至１１のいずれか一項に記載の照明デバイス。
【請求項１３】
前記１つ以上の第１の光源が、青色の第１の光源光、及び黄色の蛍光体光を供給するように構成され、前記１つ以上の第２の光源が、赤色の第２の光源光を供給するように構成されており、前記１つ以上の光学フィルタが、前記蛍光体を含む、請求項１１又は１２に記載のいずれか一項に記載の照明デバイス。
【請求項１４】
前記蛍光体が、Ａ３Ｂ５Ｏ１２：Ｃｅ３＋を含み、Ａが、Ｓｃ、Ｙ、Ｔｂ、Ｇｄ、及びＬｕから成る群から選択され、Ｂが、Ａｌ及びＧａから成る群から選択される、請求項１３に記載の照明デバイス。
【請求項１５】
前記照明デバイスが、１つ以上の第１の光源のオン状態、及び１つ以上の第２の光源のオン状態のうちの１つ以上で、白色の照明デバイス光を供給するように構成されている、請求項１乃至１４のいずれか一項に記載の照明デバイス。
【発明の詳細な説明】
【技術分野】
【０００１】
本発明は、１つ以上の異なるタイプの光源の光を含む、照明デバイス光を供給するために、異なる波長の光を生成する固体光源を特に含む、異なるタイプの光源を備える照明デバイスに関する。
【背景技術】
【０００２】
複数のＬＥＤを有するＬＥＤ発光体が、当該技術分野において既知である。米国特許出願公開第２０１３／０２７０５８５号は、例えば、複数の発光ダイオード（light emitting diode；ＬＥＤ）が上に配置されている基板を有する、単一の発光体構造を含む、ＬＥＤ発光体を説明しており、それら複数のＬＥＤは、第１の色光を生成する少なくとも１つの第１のＬＥＤダイと、第２の色の光を生成する少なくとも１つの第２のＬＥＤダイとを含む。このＬＥＤ発光体はまた、単一の発光体構造から放出された光を収集するように位置決めされ、複数のＬＥＤからの光を混合して均一な光を生成するように適合されている、内部全反射（total internal reflection；ＴＩＲ）レンズも含む。複数のＬＥＤは、それら複数のＬＥＤの全てに等しい電流が供給される場合に、ＬＥＤ発光体によって出力される光が所望の色温度を有するように選択されている。
【発明の概要】
【発明が解決しようとする課題】
【０００３】
白色又は灰白色蛍光体変換ＬＥＤは、例えば、９０を超えるＣＲＩを有する高品質の光、飽和白色光、高効率光源、及び色制御可能光源のうちの１つ以上を提供する用途において、赤色ＬＥＤと組み合わされることができる。しかしながら、これらの白色ＬＥＤと赤色ＬＥＤとは、一部の用途では必ずしも評価されない、異なる色の外観を有する。この相違を隠すことが望ましいと考えられる。
【０００４】
この問題を解決するためのオプションは、双方のタイプのＬＥＤの上に、散乱層を構成することである。しかしながら、このことは、白色ＬＥＤからの余分な光損失を引き起こす恐れがあり、これもまた望ましくない。それゆえ、２つの異なる光源である、第１の光源及び第２の光源が適用される場合、それらのオフ状態における視覚的外観は、異なる場合がある。この場合、視覚的外観とは、特に、ＬＥＤダイ、蛍光体層、シリコーンドーム、蛍光体を含むプレート（レット）などのような、そのような光源の発光表面を指す。
【課題を解決するための手段】
【０００５】
それゆえ、本発明の一態様は、好ましくは、上述の欠点のうちの１つ以上を更に少なくとも部分的に取り除く、特に固体光源に基づく、代替的な照明デバイスを提供することである。
【０００６】
特に、本発明は、第１の光源光を供給するように構成されている１つ以上の第１の光源の第１のサブセットと、第２の光源光を供給するように構成されている１つ以上の第２の光源の第２のサブセットとを有する、複数の異なる光源を備える照明デバイス（「デバイス」）であって、特に、第２の光源光が、第１の光源光とは異なるスペクトル分布を有し、１つ以上の第１の光源が、光源オフ状態の色外観を有し、１つ以上の第２の光源が、１つ以上の光学フィルタを含み、特に、１つ以上の光学フィルタが、第２の光源光の、特に１０％未満などの、２０％未満などの、３０％未満を変換するように選択され、特に、各光学フィルタが、対応の第２の光源に関連付けられており、１つ以上の光学フィルタが、１つ以上の第１の光源のオフ状態の色外観と同じ（第２の光源のオフ状態における）色外観を有する、照明デバイス（「デバイス」）を提供する。
【０００７】
そのような照明デバイスの場合、光源は、オフ状態において、本質的に同じ色を有してもよい。換言すれば、双方のタイプの光源の、光源オフ状態の色外観は、本質的に同一であってもよい。このように、デバイスの全ての光源は、本質的に同じ色を有するように見えてもよい。それゆえ、光源は、同じタイプの光源のように見える。この場合、用語「色」とは、白色を含めた任意の既知の色を指してもよいが、（それゆえ）特に黒色を指すものではない。光学フィルタは、黒色顔料を含んでもよいが、透過目的を考慮すると、黒色顔料から本質的に成るものではない。
【０００８】
本発明では、例えば、赤色ＬＥＤと組み合わされている白色発光ＬＥＤを含めた、異なるタイプのＬＥＤを使用することが可能であり、赤色ＬＥＤが、例えば（例として、黄色（発光）材料を有する青色ＬＥＤを想定すると）黄色であってもよい白色ＬＥＤのオフ状態と本質的に同じ色を有し得るように、赤色ＬＥＤの（オフ状態における）外観を色調整することが可能である。特に、（オフ状態における）色とは、黒色又は白色を含まない、任意の色を指してもよい（更に以下もまた参照のこと）。このことは、特定の実施形態における第１の光源が、例えばセリウムを含むガーネットなどの、非白色及び非黒色の顔料である発光材料を含むため、特に関連性がある。そのような場合には、光学フィルタもまた、本質的に、そのような色を（顔料として）を有することになる。
【０００９】
本明細書では、用語「発光材料」及び「蛍光体」は、同一の材料に関して使用されてもよく、特に、例えば青色及び／又はＵＶ放射線で励起されると光を生成する、同じタイプの材料を指してもよい。更には、用語「発光材料」はまた、複数の異なる発光材料に関連してもよい。同様に、用語「蛍光体」は、複数の異なる蛍光体（又は、発光材料）を指してもよい。
【００１０】
上述のように、デバイスは、第１の光源光を供給するように構成されている１つ以上の第１の光源の第１のサブセットと、第２の光源光を供給するように構成されている１つ以上の第２の光源の第２のサブセットとを有する、複数の異なる光源を備え、特に、第２の光源光は、第１の光源光とは異なるスペクトル分布を有する。それゆえ、照明デバイスは、異なるタイプの光源が、異なるスペクトル分布を有する光を供給するという意味で、少なくとも２つの異なるタイプの光源を備える。それゆえ、この目的で、デバイスは、少なくとも２つなどの、１つ以上の光源の第１のサブセットと、少なくとも２つなどの、１つ以上の光源の第２のサブセットとを備える。一般に、各サブセットは、少なくとも３つなどの、複数の光源を含む。例えば固体光源を想定すると、サブセット内の光源は、同じビンから選択された固体光源を含んでもよい。
【００１１】
しかしながら、第１の光源によって生成される光源光は、第２の光源の光源光とはスペクトル的に異なる（すなわち、それらの光源光は、異なるスペクトル分布を有する）。特に、異なるタイプの光源は、それゆえ、同じビンからの固体光源を含まず、又は、それらの光源が同じビンからの固体光源を含む場合、第１の光源及び第２の光源のうちの１つ以上は、対応の固体光源の光と共に、第１の光源光と第２の光源光との異なるスペクトル分布をもたらす、１つ以上の発光材料を含む。このことは、以下で更に解明される。特定の実施形態では、１つ以上の第１の光源は、１つ以上の固体光源を含み、及び／又は、１つ以上の第２の光源は、１つ以上の固体光源を含む。特に、各光源は、固体光源などの光の供給源と、オプションとして、光の供給源の光の少なくとも一部を変換するように構成されている光変換材料（「発光材料」）とを含む。光源から、特にその発光表面から抜け出る光は、その光の供給源の光から本質的に成るものであってもよい。光源によって光変換材料が含まれている場合、光源光は、その光変換材料の光と、オプションとしてまた、光の供給源からの光とを含んでもよい。
【００１２】
更に特に、異なるタイプの光源は、紫色、青色、緑色、黄色、橙色、赤色、ピンク色、及び白色から選択される、特に青色、緑色、黄色、橙色、赤色、及び白色から選択されるような、異なる色の光を供給する。例えば、スペクトルパワーの少なくとも５０％は、可視域であってもよい。しかしながら、それらの光源のうちの１つ以上はまた、ＩＲ放射線又はＵＶ放射線を供給してもよい。そのような実施形態では、スペクトルパワーの少なくとも５０％は、ＩＲ域又はＵＶ域であってもよい。
【００１３】
用語「紫色光」又は「紫色発光」は、特に、約３８０〜４４０ｎｍの範囲の波長を有する光に関連する。用語「青色光」又は「青色発光」は、特に、約４４０〜４９５ｎｍの範囲の波長を有する（ある程度の紫色及びシアンの色相を含む）光に関連する。用語「緑色光」又は「緑色発光」は、特に、約４９５〜５７０ｎｍの範囲の波長を有する光に関連する。用語「黄色光」又は「黄色発光」は、特に、約５７０〜５９０ｎｍの範囲の波長を有する光に関連する。用語「橙色光」又は「橙色発光」は、特に、約５９０〜６２０ｎｍの範囲の波長を有する光に関連する。用語「赤色光」又は「赤色発光」は、特に、約６２０〜７８０ｎｍの範囲の波長を有する光に関連する。用語「ピンク色光」又は「ピンク色発光」は、青色成分及び赤色成分を有する光を指す。用語「可視」、「可視光」、又は「可視発光」は、約３８０〜７８０ｎｍの範囲の波長を有する光を指す。本明細書における白色光という用語は、当業者には既知である。特に、白色光とは、約２０００〜２００００Ｋ、特に２７００〜２００００Ｋ、一般的な照明に関しては、特に約２７００Ｋ〜６５００Ｋの範囲、バックライトの目的に関しては、特に約７０００Ｋ〜２００００Ｋの範囲の相関色温度（correlated color temperature；ＣＣＴ）を有し、特に、ＢＢＬ（黒体軌跡；black body locus）から約１５ＳＤＣＭ（等色標準偏差；standard deviation of color matching）の範囲内、特にＢＢＬから約１０ＳＤＣＭの範囲内、更に特にＢＢＬから約５ＳＤＣＭの範囲内である光に関連する。
【００１４】
特に、サブセット内の各光源は、それぞれ、本質的に同一の第１の光源光又は第２の光源光を供給するように構成されている。それゆえ、第１のサブセット及び第２のサブセットの双方、それゆえまた、照明デバイスは、特に、可視光を供給するように構成されている。しかしながら、上述のように、本発明は、可視の照明デバイス光及び／又は可視の光源光のみに限定されるものではない。
【００１５】
本明細書では、本発明は特に、第１の光源及び第２の光源、第１のサブセット及び第２のサブセットなどに関連して説明されている。しかしながら、より全般的には、本発明は、少なくとも２つの異なるサブセットを有するように定義されることができる。それゆえ、実施形態では、本発明は、互いに異なる光源光を供給するように構成されている、光源の２つ以上のサブセット（異なるサブセットからの光源）を有する、複数の異なる光源を備える照明デバイス（「デバイス」）であって、１つ以上のサブセットの光源が、１つ以上の光学フィルタを有し、特に、各光学フィルタが、そのようなサブセットからの対応の光源に関連付けられており、全ての光源のオフ状態において、それら２つ以上のサブセットの、特に全てのサブセットの光源が、同じ色外観を有する、照明デバイス（「デバイス」）を提供する。以下では、本発明は、２つのサブセットに関連して更に定義される。しかしながら、このことはそれゆえ、そのデバイスが２つのサブセットのみに限定されるとして解釈されるべきではない。更には、以下でもまた示されるように、「第１」及び「第２」のような用語は、特に、異なる項目を扱うために使用されているが、これらの用語は、必ずしも順序を含むものではなく、又は、適用可能な場合には全て、第１が必ずしも第２よりも大きいか若しくは小さいことを含むものではない（実施形態では、このことはまた逆であってもよい）。
【００１６】
特定の実施形態では、１つ以上の第１の光源は、第１のピーク波長λ１を有する第１の光源光を供給するように構成され、１つ以上の第２の光源は、第２のピーク波長λ２を有する第２の光源光を供給するように構成されている。これらのピーク波長は、上述のようなスペクトル色の範囲であってもよく、オプションとして、可視域外であってもよい（上記を参照のこと）。それゆえ、特にλ２＞λ１である。更に特に、これらのピーク波長間の差は、少なくとも１５ｎｍなどの、少なくとも１０ｎｍ、更に特に、少なくとも５０ｎｍのような、少なくとも３０ｎｍなどの、少なくとも２０ｎｍである。２つ以上のサブセットが適用される場合、（サブセットのうちの１つの）最大ピーク波長と（他のサブセットのうちの１つの）最小ピーク波長との差は、少なくとも１５ｎｍなどの、少なくとも１０ｎｍ、更に特に、少なくとも５０ｎｍのような、少なくとも３０ｎｍなどの、少なくとも２０ｎｍである。用語「ピーク波長」とは、スペクトル分布における最大値を指す。
【００１７】
特定の実施形態では、１つ以上の第１の光源は、第１の主波長λ１を有する第１の光源光を供給するように構成され、１つ以上の第２の光源は、第２の主波長λ２を有する第２の光源光を供給するように構成されている。これらの主波長は、上述のようなスペクトル色の範囲であってもよく、オプションとして、可視域外であってもよい（上記を参照のこと）。それゆえ、特にλ２＞λ１である。更に特に、これらの主波長間の差は、少なくとも１５ｎｍなどの、少なくとも１０ｎｍ、更に特に、少なくとも５０ｎｍのような、少なくとも３０ｎｍなどの、少なくとも２０ｎｍである。２つ以上のサブセットが適用される場合、（サブセットのうちの１つの）最大主波長と（他のサブセットのうちの１つの）最小主波長との差は、少なくとも１５ｎｍなどの、少なくとも１０ｎｍ、更に特に、少なくとも５０ｎｍのような、少なくとも３０ｎｍなどの、少なくとも２０ｎｍである。
【００１８】
本発明は、特に、第１の光源と第２の光源とが、オフ状態において異なる色を有する（一方が黒色であるオプションを含む）状況に対処する。例えば、それらの光源のうちの一方は、白色ＬＥＤなどの、黄色発光材料の存在による（オフ状態における）黄色の外観を有してもよく、それらの光源のうちの他方は、赤色ＬＥＤなどの、（オフ状態における）赤色の外観を有してもよい。外観とは、特に、発光表面、すなわち、その光源から光源光が抜け出る表面を指す。
【００１９】
本発明は、一方の（タイプの）光源に、他方の（タイプの）光源と同様の色外観を有する、コーティングなどの光学フィルタを設けることによって、この問題を解決する。３つ以上の異なるサブセットが存在する場合、３つ以上のサブセット内の光源にもまた、光学フィルタが設けられてもよい。光学フィルタは、同一であってもよく、又は（サブセットに応じて）異なっていてもよい。
【００２０】
例えば、前述の例を参照すると、赤色ＬＥＤには、そのＬＥＤの下流に構成される光学フィルタが設けられてもよい。特に、光学フィルタは、光源の一部である。
【００２１】
それゆえ、実施形態では、そのような光源は、光学フィルタをその下流に有する、固体光源を含んでもよい。光学フィルタは、固体光源と物理的に接触していてもよく、又は、一般に１０ｍｍ以下の（しかしながら０．１ｍｍよりも大きい）距離であるが、固体光源からある程度の（小さい）距離で構成されてもよい。特定の実施形態では、１つ以上の光学フィルタは、１つ以上のコーティング（すなわち、特にコーティング層）を含む。そのような実施形態では、コーティングは、固体光源と物理的に接触していてもよい。更に他の実施形態では、１つ以上の光学フィルタは、１つ以上の（シリコーン）ドームを含む。更に他の実施形態では、１つ以上の光学フィルタは、１つ以上のプレート（レット）、例えばセラミックプレートレットなどを含む。プレートレットは、例えば、ＬＥＤダイに接着されてもよい。本明細書では、「１つ以上」のような用語は、１つ以上の光源が、対応のサブセット内に存在しており、それゆえ、例えば、１つ以上の光学フィルタもまた、例えば第２のサブセット内に存在することになるという事実を指す場合がある。
【００２２】
用語「上流」及び「下流」は、光生成手段（本明細書では特に、光源）からの光の伝搬に対する、物品又は特徴部の配置に関するものであり、光生成手段からの光のビーム内での第１の位置に対して、光のビーム内の、光生成手段により近い第２の位置が「上流」であり、光のビーム内の、光生成手段からより遠く離れた第３の位置が「下流」である。
【００２３】
上述のように、特に、各光学フィルタは、対応の第２の光源に関連付けられている。更に特に、光学フィルタは、（第２の）光源によって含まれている。上述のように、例えば（第２の）光源は、固体光源と、その固体光源と物理的に接触しているような、その固体光源に関連付けられている光学フィルタとを含んでもよい。特に、本発明では、光学フィルタは、特定のタイプの光源にのみ関連付けられている。特に、第１の光源及び第２の光源の双方の下流に、単一の光学フィルタが構成されてはいない。それゆえ、本発明では、各光学フィルタは、対応の第２の光源に関連付けられている。このことは、第１の光源及び第２の光源の双方の下流の、他の光学要素の存在を排除するものではないが、本明細書で定義される光学フィルタは、特定のタイプの光源、特に、他のタイプの（特に、着色発光材料を含み得る）光源のオフ状態の色とは異なる、オフ状態の色を有する光源の、下流に構成されている。
【００２４】
特定の実施形態では、光源は、固体光源（ＬＥＤ又はレーザダイオードなど）を含む。用語「光源」はまた、２〜２００個の（固体）ＬＥＤ光源などの、複数の光源にも関連してもよい。それゆえ、ＬＥＤという用語はまた、複数のＬＥＤを指す場合もある。更には、用語「光源」はまた、実施形態では、いわゆるチップオンボード（chips-on-board；ＣＯＢ）光源を指す場合もある。用語「ＣＯＢ」は、特に、封入も接続もされることなく、ＰＣＢなどの基板上に直接実装されている、半導体チップの形態のＬＥＤチップを指す。それゆえ、複数の半導体光源が、同じ基板上に構成されてもよい。実施形態では、ＣＯＢは、単一の照明モジュールとして一体に構成されている、マルチＬＥＤチップである。特に、各光源は、（キャリアとしての）ＰＣＢ又はサブマウントを含む。それゆえ、特定の実施形態における第１の光源のキャリアは、第２の光源からのキャリアとは異なる。あるいは、サブセット内の全ての光源が、同じＰＣＴ又はサブマウントを共有する。それゆえ、全ての第１の光源が、ＰＣＢなどの同じ第１のキャリアによって支持されてもよく、全ての第２の光源が、ＰＣＢなどの同じ第２のキャリアによって支持されてもよい（この場合、第１のキャリアと第２のキャリアとは異なる）。
【００２５】
しかしながら、一般に、少なくとも１つのサブセット内の各光源が、（対応の）光学フィルタに関連付けられることになる。特定の実施形態では、ＣＯＢが光学フィルタに関連付けられてもよい。それゆえ、単一の固体光源、又は、１００個以下の固体光源など、２００個以下などの限られた数の固体光源のみが、光学フィルタに関連付けられ、それにより単一の光源を形成してもよい。一般に、サブセット内の各光源は、それゆえ、個々の光源として識別可能となり得る。このこともまた、異なる色が、あまり望まれないことの理由である。個々の光源は、それが単一の光源の場合であっても、又はそれがＣＯＢの場合であっても、光学フィルタを有するか否かに関わらず、最大約１００ｍｍ２などの、最大約４００ｍｍ２の（発光表面の）発光面積を備えてもよい。
【００２６】
第１の光源として本明細書で例として示される、一方のタイプの光源は、例えば、そのような光源が着色発光材料を含むために、オフ状態における色を有し、光学フィルタが、他方のタイプの光源に関連付けられているため、それらの光源の外観は、より均質にされることができる。特に、光学フィルタは、（第２の）光源光の吸収性が低いか又は本質的に存在しないように選択されてもよい。
【００２７】
例えば、第１の光源が、黄緑色を有する顔料でもある発光材料を含む場合、そのような材料はまた、赤色単色ＬＥＤ用の光学フィルタとして使用されてもよいが、これは、そのような材料が、本質的に赤色光を吸収し得ないためである。それゆえ、異なるタイプの光源に関して、同じ色外観が得られてもよく、その一方で、光出力は、その光学フィルタによって本質的に影響を受ける恐れがない。本明細書では、用語「光学フィルタ」とは、本発明の色均質性の目的で光源に関連付けられる場合、特に、その光学フィルタが関連付けられている光源の光の少なくとも一部を透過させるように構成されている、コーティングなどの層を指すが、この光学フィルタはまた、紫色、青色、緑色、黄色、橙色、赤色、ピンク色、及び白色から選択されるような色も有する。それゆえ、１つ以上の光学フィルタは、特に、１つ以上の第１の光源のオフ状態の色外観と同じ（第２の光源のオフ状態における）色外観を有する。
【００２８】
それゆえ、特に、１つ以上の光学フィルタは、特に、少なくとも可視スペクトル領域において、上述の第２の光源光の２０％未満、更に特に１０％未満、更に特に第２の光源光の１％未満などの、３０％未満を変換するように選択される。それゆえ、１つ以上の光学フィルタは、特に、第２の光源に関する発光材料を含まないように選択される。換言すれば、光学フィルタは、第２の光源光に関する変換器としては構成されていない。それゆえ、光学フィルタは、第２の光源光に関して本質的に不活性の、一種の「光学的不活性」フィルタと見なされてもよい。
【００２９】
それゆえ、また更なる実施形態では、１つ以上の光学フィルタは、上述の第２の光源光の３０％未満、特に第２の光源光の２０％未満、更に特に、約１％未満などの、特に可視スペクトル領域において５％未満などの、１０％未満を吸収するように選択される。それゆえ、第２の光源によってスペクトルの可視部分で生成された全ての光子が、光学フィルタによる吸収（及び、オプションとして、上流の光とは別のスペクトル分布を有する、可視光における変換）によって喪失されることになる場合、最大で３０％が、特に、そのスペクトルの可視部分における全ての光子の２０％未満、又は、更に少ない１０％未満若しくは５％未満などが、吸収されることになる。
【００３０】
第２の光源光の低い吸収性を達成するために、特に、光学フィルタは、可視域における吸収性を有してもよいが、その吸収性が、第２の光源光の放出との重複が少ないか、又は本質的に重複しないように選択される。それゆえ、特定の実施形態では、光の供給源の光源光のスペクトル分布と、光学フィルタ材料の吸収スペクトルとは、０≦ＳＯ≦０．１などの、０≦ＳＯ≦０．２の範囲の（正規化された）スペクトル重複（spectral overlap）ＳＯを有し、この正規化されたスペクトル重複は、以下のように定義されてもよく：
【数１】
2019533880.tif 000003
式中、Ｉ（λ）は、波長の関数としての光の供給源の強度であり、ε（λ）は、吸収スペクトルに基づく、波長の関数としての吸収係数であり、εｍａｘは、吸収スペクトルに基づく、３８０〜７８０ｎｍ（すなわち、λｘ〜λｙ）の波長範囲の最大吸光係数であり、λｘ及びλｙは、３８０〜７８０ｎｍの波長範囲を定義する。例えば、この正規化されたスペクトル重複は、０〜０．１の範囲などの、０．２以下であってもよい。
【００３１】
同様に、上述のように光学フィルタが発光材料を含む場合、光の供給源の光源光のスペクトル分布と、光学フィルタ材料の吸収スペクトルとは、０≦ＳＯ≦０．１などの、０≦ＳＯ≦０．２の範囲の（正規化された）スペクトル重複ＳＯを有し、この正規化されたスペクトル重複は、以下のように定義されてもよく：
【数２】
2019533880.tif 000004
式中、Ｉ（λ）は、波長の関数としての光源の強度であり、ε'（λ）は、励起スペクトルに基づく、波長の関数としての励起係数であり、ε'ｍａｘは、励起スペクトルに基づく、３８０〜７８０ｎｍ（すなわち、λｘ〜λｙ）の波長範囲の最大吸光係数であり、λｘ及びλｙは、３８０〜７８０ｎｍの波長範囲を定義する。例えば、この正規化されたスペクトル重複は、０〜０．１の範囲などの、０．２以下であってもよい。
【００３２】
特に、光学フィルタは、その光学フィルタの上流の光の供給源（及び、オプションの光変換材料）によって生成され、可視波長範囲から選択された波長を有する光に対して、５０〜１００％の範囲の、特に７０〜１００％の範囲の光透過率を有する。このように、光学フィルタは、固体光源などの光の供給源からの可視光に対して、透過性である。
【００３３】
透過率又は光透過性は、第１の強度を有する特定波長の光を、光学フィルタに供給して、光学フィルタを透過した後に測定された、その波長の光の強度を、その特定波長で光学フィルタに供給された光の第１の強度に関連付けることによって、決定されることができる（ＣＲＣ  Ｈａｎｄｂｏｏｋ  ｏｆ  Ｃｈｅｍｉｓｔｒｙ  ａｎｄ  Ｐｈｙｓｉｃｓ，６９ｔｈ  ｅｄｉｔｉｏｎ，１０８８−１９８９の、Ｅ−２０８及びＥ−４０６もまた参照のこと）。
【００３４】
特定の実施形態では、光学フィルタは、或る波長又は波長範囲の、特に、本明細書で説明されるような放射線の供給源によって生成された放射線の波長又は波長範囲の放射線の、厚さ１ｍｍの光学フィルタの層を介した、特に更に厚さ５ｍｍの光学フィルタの層を介した、その放射線の垂直照射下での透過が、少なくとも約８５％などの、更に少なくとも約９０％などの、少なくとも約８０％である場合に、透過性と見なされてもよい。
【００３５】
例えば、光源のうちの一方は、顔料でもある発光材料（すなわち、光変換材料）を含んでもよいため、発光材料は、特に、（第１の光源）の光の供給源の光を吸収するように構成されている。しかしながら、そのような発光材料は、第２の光源の光の供給源によって供給される光に関しては、低い吸収性又は無視できる程度の吸収性を有してもよい。それゆえ、１つ以上の光学フィルタは、第２の光源光の１つ以上の放出波長におけるよりも、第１の光源光の１つ以上の放出波長において、大きい吸収性を有するように選択される。そのような場合には、第１の光源に関して発光材料として使用されてもよい発光材料は、第２の光源に関して光学フィルタとして使用されてもよい（更に以下もまた参照のこと）。
【００３６】
それゆえ、特定の実施形態では、１つ以上の光学フィルタは、第２のピーク波長λ２におけるよりも、第１のピーク波長λ１において、大きい吸収性を有するように選択される。
【００３７】
色外観とは、特に、色相を指してもよい。それゆえ、第１の光源及び第２の光源の双方（又は、更に特に、それらの発光表面）は、オフ状態において、本質的に同じ色相を有してもよい。しかしながら、小さい相違は可能であってもよい。色相は、とりわけ、ＨＳＬ又はＨＳＶ表現若しくは空間において定義される。本明細書では、色相は、例として、０〜３６０の範囲又は０〜３６０°の範囲のＨを有する、ＨＳＬ表現を指す。ＨＳＬ表現は、（０〜３６０°を有する）円形表現を含み得るため、赤色は、ゼロの近く及び３６０の近くに見出される。黄色は、例えば６０°で、緑色は１２０°で、種々のタイプの青色は１８０°〜２４０で見出されることなどができる。
【００３８】
それゆえ、特に、オフ状態における光源（更に特に、それらの発光表面）の色相は、同一であるか、又は同一に近い。それゆえ、特定の実施形態では、｜Ｈ１−Ｈ２｜＝０であるか、あるいは、｜Ｈ１−Ｈ２｜≠０であって、より大きい色相がＨ１として定義される場合、｜Ｈ１−Ｈ２｜≦０．２＊Ｈｍａｘ又は｜Ｈ１−Ｈ２−３６０｜≦０．２＊Ｈｍａｘである。この場合もまた、定義目的でのみ、Ｈ１が、より大きい色相値として選択されている。当然ながら、Ｈ２もまた、より大きい値として選択されてもよく、その場合には、条件｜Ｈ２−Ｈ１｜≦０．２＊Ｈｍａｘ又は｜Ｈ２−Ｈ１−３６０｜≦０．２＊Ｈｍａｘが、結果としてもたらされる。本明細書では、更に定義目的でのみ、Ｈ１が、より大きくなるように選択されている。それゆえ、第１の色相は、第１の光源に関連付けられてもよく、又は第２の光源に関連付けられてもよい。同様に、第２の色相は、第２の光源に関連付けられてもよく、又は第１の光源に関連付けられてもよい。この場合、光源の色又は光源の色外観を定義するものであって、光源の光の色を定義するものではない点に留意されたい。オン状態では、光源の色の相違は、（デバイス）光が個々の光源の外観を支配し得るため（また更に、光源を見ることが、目の保護の観点から望ましくない場合もあるため）、さほど関連性がない場合もある。
【００３９】
それゆえ、１つ以上の光学フィルタは、特に、１つ以上の第１の光源のオフ状態の色外観と同じ色相を有してもよい。しかしながら、更に特に、色相に加えて、明度及び彩度のうちの１つ以上が同じである。それゆえ、特定の実施形態では、第１の光源のオフ状態の色外観、及び第２の光源のオフ状態の色外観は、それぞれ、第１の色相値Ｈ１及び第２の色相値Ｈ２、第１の明度値Ｌ１及び第２の明度値Ｌ２、並びに第１の彩度値Ｓ１及び第２の彩度値Ｓ２を有し、｜Ｈ１−Ｈ２｜＝０であるか、あるいは、｜Ｈ１−Ｈ２｜≠０であって、より大きい色相がＨ１として定義される場合、｜Ｈ１−Ｈ２｜≦０．２＊Ｈｍａｘ又は｜Ｈ１−Ｈ２−３６０｜≦０．２＊Ｈｍａｘであり、｜Ｌ１−Ｌ２｜≦０．２＊Ｌｍａｘであり、｜Ｓ１−Ｓ２｜≦０．２＊Ｓｍａｘであり、Ｈｍａｘは、最大色相値であり、Ｈは、０〜３６０の範囲のＨを有するＨＳＬ表現に基づいて定義され、Ｌｍａｘは最大明度値であり、Ｓｍａｘは最大彩度値である。
【００４０】
一般に、Ｌ及びＳは、それぞれ、０〜１００又は０〜１００％の間で変化すると考えられるが、他の尺度もまた可能であってもよい。特に、彩度Ｓは０（％）よりも大きく、明度Ｌは０（％）よりも大きい。
【００４１】
より具体的な実施形態では（色相が同一ではない場合）、｜Ｈ１−Ｈ２｜≦１０又は｜Ｈ１−Ｈ２−３６０｜≦１０であり、｜Ｌ１−Ｌ２｜≦０．１＊Ｌｍａｘ及び｜Ｓ１−Ｓ２｜≦０．１＊Ｓｍａｘのうちの１つ以上が適用される。
【００４２】
上述のように、色相、明度、及び輝度は、特に、オフ状態におけるそれぞれの光源の発光表面に関連する。
【００４３】
上記では、一般に第１の光源として示される、一方の（タイプの）光源が、発光材料（本明細書ではまた、蛍光体としても示されるもの）を含み、その発光材料が、特に色を有する（またそれゆえ、顔料である）、いくつかの例が既に与えられている。この色は、任意の色であってもよいが、黒色ではない。
【００４４】
それゆえ、特定の実施形態では、１つ以上の第１の光源は、蛍光体を有する１つ以上の蛍光体変換固体光源を含み、特に、その１つ以上の蛍光体変換固体光源の蛍光体が、上述の１つ以上の第１の光源の、光源オフ状態の色外観を決定する。一般に第２の光源として示される、他方の（タイプの）光源は、特に、固体光源それ自体、すなわち、発光材料による更なる変換を伴わないものを指してもよい。それゆえ、そのような光源は、例えばシリコーンドームなどでオプションとして保護されている、ベアＬＥＤであってもよい。そのような光源は、特に、そのスペクトル分布が、例えば数ナノメートルの幅を有するピークを示し得る場合であっても、単色固体光源として示されてもよい。しかしながら、そのような固体光源は、特に、単一の比較的狭い帯域を供給するものであり、また、レーザを含んでもよい。
【００４５】
それゆえ、実施形態では、１つ以上の第２の光源は、（光の供給源としての）１つ以上の単色固体光源を含む。特に、そのような実施形態では、１つ以上の光学フィルタは、上述の蛍光体を含む。
【００４６】
特に、２つのタイプの実施形態に、関連性があってもよい。
【００４７】
第１のタイプの実施形態では、１つ以上の第１の光源は、青色の第１の光源光、及び緑色の蛍光体光を供給するように構成され、１つ以上の第２の光源は、赤色の第２の光源光を供給するように構成されており、１つ以上の光学フィルタは、上述の蛍光体を含む。そのような緑色の蛍光体光を供給する蛍光体はまた、緑色（緑がかった色）を有してもよい。この蛍光体は、第２の光源に関する、コーティングなどの光学フィルタとして使用されてもよく、第２の光源の赤色光を、本質的に吸収することがない。
【００４８】
第２のタイプの実施形態では、１つ以上の第１の光源は、青色の第１の光源光、及び黄色の蛍光体光を供給するように構成され、１つ以上の第２の光源は、赤色の第２の光源光を供給するように構成されており、１つ以上の光学フィルタは、上述の蛍光体を含む。そのような黄色の蛍光体光を供給する蛍光体はまた、黄色（黄色がかった色）を有してもよい。この蛍光体は、第２の光源に関する、コーティングなどの光学フィルタとして使用されてもよく、第２の光源の赤色光を、本質的に吸収することがない。
【００４９】
しかしながら、光学フィルタの上流に（及び、光の供給源の下流に）構成されている発光材料を含む、第２の光源、あるいは、第１の光源及び第２の光源のうちの１つ以上が、ＵＶ又はＩＲ域の放射線を供給するように構成されている実施形態などの、他の実施形態もまた適用されてよい。
【００５０】
本明細書では、用語「発光材料」又は「蛍光体」はまた、複数の異なる発光材料を指す場合もある。そのような複数の異なる発光材料もまた、或る色外観を有してもよい。
【００５１】
それゆえ、色相（並びに、明度及び輝度）は、異なる発光材料の組み合わせに基づいてもよい。あるいは、又は更には、色相は、異なる顔料の組み合わせに基づいてもよい。
【００５２】
緑色又は黄色の光を供給するために使用されてもよい、対象となる特定の蛍光体は、セリウムを含むガーネット蛍光体である。それゆえ、実施形態では、蛍光体は、Ａ３Ｂ５Ｏ１２：Ｃｅ３＋を含み、Ａは、Ｓｃ、Ｙ、Ｔｂ、Ｇｄ、及びＬｕから成る群から選択され、Ｂは、Ａｌ及びＧａから成る群から選択される。
【００５３】
照明デバイスは、白色光を供給するように構成されてもよい。しかしながら、照明デバイスはまた、色光を供給するように構成されてもよい。照明デバイスは、少なくとも２つの異なるタイプの光源を備えるため、そのサブセット、又は全ての個々の光源さえも制御されてもよく、このことは、照明デバイス光の色の調整、及び／又は照明デバイス光の色温度の調整を可能にし得る。しかしながら、特定の実施形態では、照明デバイス光の色及び／又は色温度が制御可能であるか否かに関わらず、特に、この照明デバイスは、（ａ）１つ以上の第１の光源のオン状態、及び（ｂ）１つ以上の第２の光源のオン状態のうちの１つ以上で、白色の照明デバイス光を供給するように構成されている。それゆえ、この照明デバイスは、オフ状態を含むことになり、１つ以上の異なるオン状態を含んでもよい。そのようなオン状態は、照明デバイス光の異なる強度及び／又は異なる色温度及び／又は異なる色を指してもよい。用語「照明デバイス光」とは、デバイスによって生成され、第１の光源光及び／又は第２の光源光を含む、光を指す。
【００５４】
それゆえ、特定の実施形態では、本発明は、複数の異なる光源であって、サブセットが、発光材料を有する１つ以上の光源を含み、この発光材料が、１つ以上の光源によって含まれている１つ以上の光の供給源の光の一部を変換するように構成されており（すなわち、その発光材料が、発光材料として機能し）、別のサブセットが、１つ以上の他の光源を含み、それら１つ以上の他の光源が、（１つ以上の光源によって含まれている、１つ以上の光の供給源に関する）顔料として、同じ発光材料を含むことにより、（１つ以上のサブセットの）光源の発光表面（又は、「光出射窓」）が、オフ状態において同じ色外観を有する、複数の異なる光源を提供する。それゆえ、発光材料が顔料として構成されている場合、その発光材料は、本質的に発光材料としては機能せず、顔料の機能「のみ」を有する。
【００５５】
この照明デバイスは、例えば、オフィス照明システム、家庭用アプリケーションシステム、店舗照明システム、家庭用照明システム、アクセント照明システム、スポット照明システム、劇場照明システム、光ファイバアプリケーションシステム、投影システム、自己照明ディスプレイシステム、画素化ディスプレイシステム、セグメント化ディスプレイシステム、警告標識システム、医療用照明アプリケーションシステム、インジケータ標識システム、装飾用照明システム、ポータブルシステム、自動車用アプリケーション、（屋外）道路照明システム、都市照明システム、温室照明システム、園芸用照明などの一部であってもよく、又は、それらに適用されてもよい。
【図面の簡単な説明】
【００５６】
ここで、本発明の実施形態が、添付の概略図面を参照して例としてのみ説明され、図面中、対応する参照記号は、対応する部分を示す。
【図１ａ】いくつかの態様を概略的に示す。
【図１ｂ】いくつかの態様を概略的に示す。
【図２ａ】いくつかの実施形態を概略的に示す。
【図２ｂ】いくつかの実施形態を概略的に示す。
【図２ｃ】いくつかの実施形態を概略的に示す。
【図３ａ】いくつかの態様を概略的に示す。
【図３ｂ】いくつかの態様を概略的に示す。
【図３ｃ】いくつかの態様を概略的に示す。
【図３ｄ】いくつかの態様を概略的に示す。
【図３ｅ】いくつかの態様を概略的に示す。
【図３ｆ】いくつかの態様を概略的に示す。
【図３ｇ】いくつかの態様を概略的に示す。
【図３ｈ】いくつかの態様を概略的に示す。
【００５７】
これらの概略図面は、必ずしも正しい縮尺ではない。
【発明を実施するための形態】
【００５８】
上述のように、（灰）白色蛍光体変換ＬＥＤは、９０を超えるＣＲＩを有する高品質の光、飽和白色光、高効率光源、及び色制御可能光源を提供する用途において、赤色ＬＥＤと組み合わされることができる。一実施例が、図１ａ、図１ｂに概略的に示される。しかしながら、これらの白色ＬＥＤ、例えば図１ａの参照符号１１０で示される光源と、赤色ＬＥＤ、例えば図１ａの参照符号１２０で示される光源とは、一部の用途では必ずしも評価されない、異なる色の外観を有する。この相違を隠すことが望ましい。この目的で、散乱層が、双方のタイプのＬＥＤの上に配置されることができる。しかしながら、このことは、白色ＬＥＤからの余分な光損失を引き起こす。
【００５９】
図１ａ、図１ｂは、第１の光源光１１１を供給するように構成されている１つ以上の第１の光源１１０の第１のサブセット１００と、第２の光源光２１１を供給するように構成されている１つ以上の第２の光源２１０の第２のサブセット２００とを有する、複数の異なる光源１０を備える、照明デバイス１を概略的に示す。光源１１０、２１０は、ＣＯＢなどのＬＥＤパッケージであってもよい。参照符号１０５は、光の供給源、特に固体光源を示しており、これは光源１１０、２０１によって（それゆえ）含まれている。第１の光源１１０に関する固体光源と、第２の光源２１０に関する固体光源とは、異なっていてもよいが、それらはまた、同じであってもよい。それらが同じである場合、光源１１０、２１０は、異なるタイプの光源光１１１、２１１が得られるように、異なるタイプの発光材料及び／又は発光量を含んでもよい。図１ａ〜図２ｂ、及びいくつかの更なる図でもまた、第１の光源１１０は、当該技術分野において周知の、セリウムを含むガーネット蛍光体などの蛍光体３０を含んでもよい。光の供給源の光による励起の際に、そのような光変換材料によって供給される光は、参照符号３１によって示される（図２ａを参照のこと）。
【００６０】
異なる光源１１０、２１０は、異なるタイプの光を供給するように構成されている。例えば、第１の光源１１０は、青色発光ＬＥＤ及び黄色発光蛍光体を有し、それらが一体となって白色の第１の光源光１１１を供給する、蛍光体変換光源であってもよい。更には、例えば、第２の光源２１０は、約７０ｎｍ未満、特に５０ｎｍ以下などの、１００ｎｍ未満の半値全幅（full width half maximum；ＦＷＨＭ）などの、比較的狭い帯域幅の赤色光源光２１１を供給するように構成されている、単色ＬＥＤであってもよい。それゆえ、第２の光源光２１１は、第１の光源光１１１とは異なるスペクトル分布を有する。参照符号２は、キャリアを示す。
【００６１】
見られ得るように、１つ以上の第１の光源１１０は、１つ以上の第２の光源２１０とは異なる、光源オフ状態の色外観を有する。このことは、望ましくない場合がある。
【００６２】
とりわけ、本明細書では、それらが全て同じ外観を有するように、例えば赤色ＬＥＤを、黄色蛍光体でコーティングすることを提案する（図２ａ、図２ｂ）。それゆえ、１つ以上の第２の光源２１０は、１つ以上の光学フィルタ３０５を有し、各光学フィルタ３０５は、対応の第２の光源２１０に関連付けられており、それら１つ以上の光学フィルタ３０５は、１つ以上の第１の光源１１０のオフ状態の色外観と、同じ色外観を有する。
【００６３】
実施形態では、このフィルタは、顔料又は蛍光体であってもよい。この蛍光体は、ＹＡＧ又はＬｕＡＧなどの無機蛍光体であってもよいが、また、有機蛍光体などであってもよい。これらの（無機蛍光体）有機蛍光体は、実施形態では、例えばシリコーン製のマトリックス中に分散されてもよい。
【００６４】
参照符号２０は、光源の発光表面を指す。参照符号２０'は、（第２の）光源に関連付けられている光学フィルタの発光表面を指す。光源のオフ状態では、これらの表面は、それゆえ、本質的に同じ外観を有してもよい。
【００６５】
図２ａを（しかしながら、図１ａもまた）参照すると、１つ以上の第１の光源１１０は、青色の第１の光源光１１１ａ、及び黄色の蛍光体光３１を供給するように構成されてもよく、１つ以上の第２の光源２１０は、赤色の第２の光源光２１１を供給するように構成されている。上述のように、１つ以上の光学フィルタ３０５は、同様のオフ状態の外観のための、蛍光体３０を含む。参照符号２０は、光源の発光領域を指す。この場合、図２ｂでは、それらの発光領域は、本質的に同じオフ状態の色外観を有してもよい。図１ａ及び図２ａは、側面図を概略的に示し、図１ｂ及び図２ｂは、上面図を概略的に示す。照明デバイス１によって生成される光は、照明デバイス光として示される。照明デバイス光は、第１の光源光及び第２の光源光のうちの１つ以上を含んでもよい。制御システムが適用される場合、光源は、異なるタイプの光源を、又は各光源さえも個別にオン及びオフに切り替えることを含めて、個別に制御されてもよい。
【００６６】
図２ｃは、やや詳細に、いくつかの態様及び変形を概略的に示す。この場合、例として、３つのサブセット１００、２００、３００が概略的に示されており、明瞭性のために、各サブセット内には１つの光源のみがある。例として、第１の光の供給源１１１０は、光１１１１を生成し、その光の少なくとも一部は、発光材料３０によって、発光材料光３１に変換されてもよい。それゆえ、この第１の光源光は、青色の第１の光源光１１１ａ及び黄色の発光材料光などの、少なくとも発光材料光３１と、オプションとして光１１１１とを含むことにより、例えば、白色の第１の光源光１１１を供給する。第２の光源２１０は、本質的に、単色光を本質的に供給するように構成されている、第２の光の供給源１１２０として示される固体光源であってもよい。光の供給源１１２０の光は、参照符号１１２１で示される。第２の光源２１０によって生成される光は、参照符号２１１で示され、光学フィルタ３０５が光１１２１に関して本質的に不活性であるため、この光１１２１から本質的に成るものであってもよい。第３の光源３１０は、光１１３１を生成するように構成されている、第３の光の供給源１１３０を含んでもよく、その光は、この図では識別する目的で参照符号１０３０で示されている発光材料３０によって、少なくとも部分的に変換されてもよく、この発光材料は、光１１３１による励起により、発光材料光１０３１を生成してもよい。また、この光源３１０は、光学フィルタ３０５を含んでもよく、この光学フィルタによって、オフ状態における３つの光源の全てが、本質的に同じ色外観を有する発光表面２０を有してもよい。第３の光源光３１１は、少なくとも発光材料光１０３１と、オプションとしてまた、光の供給源１１３０の光１１３１とを含んでもよい。光学フィルタ３０５は、発光材料光１０３１に対して、オプションとしてまた、光の供給源１１３０の光１１３１に対しても、本質的に不活性であってもよい。参照符号１１５は、サブマウント又はＰＣＢなどのキャリアを示し、このキャリアは、特に、光源１１０、２１０、３１０ごとに異なるか、又は少なくとも、光源のサブセットごとに異なる。それゆえ、蛍光体３０（又は、蛍光体１０３０）の下流の光は、その蛍光体の上流の光とは別のスペクトル組成を有することになる。しかしながら、光学フィルタ３０５の下流の光と、その光学フィルタの直上流の光とは、本質的に同じスペクトル組成を有してもよい。オプションとして、ある程度の相違が存在してもよいが、特に変換によるものではなく、吸収のみによるものである。
【００６７】
上述のように、照明デバイス１によって生成される光は、照明デバイス光として示される。この照明デバイス光は、第１の光源光及び第２の光源光のうちの１つ以上、及び図２ｃを参照すると、第３の光源光もまた含んでもよい。
【００６８】
実施形態では、第２の光源光２１１として図３ａに示される第１の波長範囲の固体光源光を放出する、光源と、参照符号ＰＡで図３ａに示される第２の波長範囲（蛍光体吸収又は励起帯域）の光を吸収して、参照符号ＰＥで図３ａに示される第３の波長範囲（蛍光体放出又は蛍光体発光）の光を放出する、蛍光体とが示唆され、第１の波長範囲と第２の波長範囲との間には、重複が存在しない。この場合、第２の光源光２１１と励起帯域ＰＡとの間には、実質的にスペクトル重複が存在しない。それゆえ、蛍光体は、図３ａに示される第２の光源光２１１を放出する光源に関しては、本質的に不活性の光学フィルタとして使用されることができる。
【００６９】
例えば、一実施形態では、直接放出赤色ＬＥＤの上の黄色蛍光体（図３ｂ）が示唆され、又は、蛍光体変換赤色ＬＥＤの上の黄色蛍光体が使用されることも可能であり、このＬＥＤは、青色光を放出する青色ＬＥＤとすることができる（図３ｃ）。青色光は、赤色蛍光体によって赤色光に完全に変換されることができる。
【００７０】
例えば、一態様では、黄色蛍光体によって覆われている、キャリア上の赤色ＬＥＤのアレイ（図３ｄ；図２ａ、図２ｂもまた参照のこと）が提案される。それゆえ、本発明はまた、第１の波長範囲の光源光を放出する光源と、第２の波長範囲の光を吸収して、第３の波長範囲の光を放出する蛍光体とを提供し、第１の波長範囲と第２の波長範囲との間には、本質的に重複が存在しない。それゆえ、この場合、蛍光体は、光学フィルタ３００として構成されている。
【００７１】
更に別の実施形態では、少なくとも白色ＬＥＤと、黄色蛍光体を含む赤色ライトとを備える、照明デバイス１が示唆される（図３ｅ；同様の図２ａもまた参照のこと）。更に別の実施形態では、灰白色ＬＥＤの場合には、赤色ＬＥＤはまた、緑色蛍光体も含んでもよい（図３ｆ）。更に別の実施形態では、少なくとも１つの灰白色ＬＥＤと、緑色蛍光体を含む赤色ライトとを備える、照明デバイス１が示唆される（図３ｇ）。そのような照明デバイスは、緑色のイメージのＬＥＤ照明のために使用されてもよい、緑色の外観を与える。図３ｇはまた、第１の光源光１１１が発光材料光３１を含むことも、概略的に示す。図３ｇを参照すると、１つ以上の第１の光源１１０は、青色の第１の光源光１１１ａ、及び緑色の蛍光体光３１を供給するように構成されてもよく、１つ以上の第２の光源２１０は、赤色の第２の光源光２１１を供給するように構成されている。上述のように、１つ以上の光学フィルタ３０５は、同様のオフ状態の外観のための、蛍光体３０を含む。
【００７２】
上記で提示されている実施形態の組み合わせが可能であることは、言うまでもない。例えば、白色ＬＥＤを、黄色蛍光体を含む直接放出赤色ＬＥＤ、及び黄色蛍光体を含む蛍光体変換赤色ライトと、一体に組み合わせてもよい。これらの示唆されている構成は、色温度／彩度の量が調節されることができるように、電源及び（本明細書ではまた「制御システム」としても示される）コントローラを使用して、電力供給されることができる。
【００７３】
更には、示唆された照明デバイスを使用する、参照符号１０００で示されるランプ又は照明器具（図３ｈ）が、本明細書で示唆される。
【００７４】
以下の表では、２つのサブセットのみが想定されている、いくつかの実施例が与えられる。光の供給源の全ては、固体光源に想定されている。蛍光体は、生成される光の色又はタイプによって示されている。蛍光体は、（対応の光の供給源の光の）完全変換又は部分変換のために構成されることが可能である。光源によって生成される光の色又はタイプが示されている。更には、フィルタの色が示されている。実施形態では、光学フィルタは、第１の光源に関して示されたものと同じ蛍光体である。しかしながら、これらの原理は、３つ以上のサブセットに拡張されることが可能である。
【表１】
2019533880.tif 000005
【００７５】
「実質的に全ての光（substantially all light）」、又は「実質的に成る（substantially consists）」などでの、本明細書における用語「実質的に（substantially）」は、当業者には理解されるであろう。用語「実質的に」はまた、「全体的に（entirely）」、「完全に（completely）」、「全て（all）」などを伴う実施形態も含み得る。それゆえ、実施形態では、この形容詞はまた、実質的に削除される場合もある。適用可能な場合、用語「実質的に」はまた、９５％以上、特に９９％以上、更に特に９９．５％以上などの、１００％を含めた９０％以上にも関連し得る。用語「含む（comprise）」は、用語「含む（comprise）」が「から成る（consists of）」を意味する実施形態もまた含む。用語「及び／又は」は、特に、その「及び／又は」の前後で言及された項目のうちの１つ以上に関連する。例えば、語句「項目１及び／又は項目２」、及び同様の語句は、項目１及び項目２のうちの１つ以上に関連し得る。用語「含む（comprising）」は、一実施形態では、「から成る（consisting of）」を指す場合もあるが、別の実施形態ではまた、「少なくとも定義されている種、及びオプションとして１つ以上の他の種を包含する」も指す場合がある。
【００７６】
更には、明細書本文及び請求項での、第１、第２、第３などの用語は、同様の要素を区別するために使用されるものであり、必ずしも、連続的又は時系列的な順序を説明するために使用されるものではない。そのように使用される用語は、適切な状況下で交換可能であり、本明細書で説明される本発明の実施形態は、本明細書で説明又は図示されるもの以外の、他の順序での動作が可能である点を理解されたい。
【００７７】
本明細書のデバイスは、とりわけ、動作中について説明されている。当業者には明らかとなるように、本発明は、動作の方法又は動作時のデバイスに限定されるものではない。
【００７８】
上述の実施形態は、本発明を限定するものではなく、むしろ例示するものであり、当業者は、添付の請求項の範囲から逸脱することなく、多くの代替的実施形態を設計することが可能となる点に留意されたい。請求項では、括弧内のいかなる参照符号も、その請求項を限定するものとして解釈されるべきではない。動詞「含む（to comprise）」及びその活用形の使用は、請求項に記述されたもの以外の要素又はステップが存在することを排除するものではない。文脈が明らかにそうではないことを必要としない限り、明細書本文及び請求項の全体を通して、単語「含む（comprise）」、「含んでいる（comprising）」などは、排他的又は網羅的な意味ではなく包括的な意味で、すなわち、「含むが、限定されない」という意味で解釈されたい。要素に先行する冠詞「１つの（a）」又は「１つの（an）」は、複数のそのような要素が存在することを排除するものではない。本発明は、いくつかの個別要素を含むハードウェアによって、及び、好適にプログラムされたコンピュータによって実装されてもよい。いくつかの手段を列挙するデバイスの請求項では、これらの手段のうちのいくつかは、１つの同じハードウェア物品によって具現化されてもよい。特定の手段が、互いに異なる従属請求項内に列挙されているという単なる事実は、これらの手段の組み合わせが、有利に使用され得ないことを示すものではない。
【００７９】
本発明は更に、明細書本文で説明される特徴及び／又は添付図面に示される特徴のうちの１つ以上を含む、デバイスに適用される。本発明は更に、明細書本文で説明される特徴及び／又は添付図面に示される特徴のうちの１つ以上を含む、方法又はプロセスに関する。
【００８０】
本特許で論じられている様々な態様は、更なる利点をもたらすために組み合わされることも可能である。更には、当業者は、実施形態が組み合わされることが可能であり、また、３つ以上の実施形態が組み合わされることも可能である点を理解するであろう。更には、特徴のうちのいくつかは、１つ以上の分割出願のための基礎を形成し得るものである。
【図１Ａ】
2019533880.tif 000006
【図１Ｂ】
2019533880.tif 000007
【図２Ａ】
2019533880.tif 000008
【図２Ｂ】
2019533880.tif 000009
【図２Ｃ】
2019533880.tif 000010
【図３Ａ】
2019533880.tif 000011
【図３Ｂ】
2019533880.tif 000012
【図３Ｃ】
2019533880.tif 000013
【図３Ｄ】
2019533880.tif 000014
【図３Ｅ】
2019533880.tif 000015
【図３Ｆ】
2019533880.tif 000016
【図３Ｇ】
2019533880.tif 000017
【図３Ｈ】
2019533880.tif 000018
【国際調査報告】
2019533880.tif 000019
2019533880.tif 000020